【手続補正書】
【提出日】平成16年11月1日(2004.11.1)
【手続補正１】
【補正対象書類名】明細書
【補正対象項目名】特許請求の範囲
【補正方法】変更
【補正の内容】
【特許請求の範囲】
【請求項１】
潜熱型熱交換器において発生した結露水がドレンとして導入される容器と、この容器にそれぞれ設けられた一対の電極と、この一対の電極に接続された直流電源とを備え、上記直流電源の正極に接続された電極を形成する金属とドレン中の酸とを反応させてドレンを中和させる潜熱型熱交換器用ドレン処理装置において、
上記ドレンを中和させるのに必要な通電量を上記潜熱型熱交換器を加熱するためのバーナの燃焼量に基づいて演算し、この演算された量の電流を上記一対の電極間に流すことを特徴とする潜熱型熱交換器用ドレン処理装置。
【請求項２】
潜熱型熱交換器において発生した結露水がドレンとして導入される容器と、この容器にそれぞれ設けられた一対の電極と、この一対の電極に接続された直流電源とを備え、上記直流電源の正極に接続された電極を形成する金属とドレン中の酸とを反応させてドレンを中和させる潜熱型熱交換器用ドレン処理装置において、
上記バーナの燃焼終了後に上記中和電流を流すべきか否かを判断する判断部を有し、この判断部が上記バーナの燃焼終了後の中和用の電流を上記バーナの燃焼終了時の燃焼量に基づいて演算し、その演算された後処理時間だけ中和用の電流を流し続けることを特徴とする潜熱型熱交換器用ドレン処理装置。
【請求項３】
潜熱型熱交換器において発生した結露水がドレンとして導入される容器と、この容器にそれぞれ設けられた一対の電極と、この一対の電極に接続された直流電源とを備え、上記直流電源の正極に接続された電極を形成する金属とドレン中の酸とを反応させてドレンを中和させる潜熱型熱交換器用ドレン処理装置において、
上記バーナの燃焼終了後に上記中和電流を流すべきか否かを判断する判断部と、潜熱型熱交換器に発生するドレンを介して潜熱型熱交換器に電気的に接続されるように、上記潜熱型熱交換器に近接して配置され、ドレン中の酸に溶解する金属からなる防食用電極と、この防食用電極に正極が接続され、上記潜熱型熱交換器に負極が接続された定電圧回路とをさらに備え、上記定電圧回路に流れる電流が所定の大きさ以下であると上記判断部が判断するまで、上記バーナの燃焼終了後に中和用の電流を流し続けることを特徴とする潜熱型熱交換器用ドレン処理装置。
【請求項４】
潜熱型熱交換器において発生した結露水がドレンとして導入される容器と、この容器にそれぞれ設けられた一対の電極と、この一対の電極に接続された直流電源とを備え、上記直流電源の正極に接続された電極を形成する金属とドレン中の酸とを反応させてドレンを中和させる潜熱型熱交換器用ドレン処理装置において、
上記バーナの燃焼終了後に上記中和電流を流すべきか否かを判断する判断部と、潜熱型熱交換器に発生するドレンを介して潜熱型熱交換器に電気的に接続されるように、上記潜熱型熱交換器に近接して配置され、ドレン中の酸に溶解する金属からなる防食用電極と、この防食用電極に正極が接続され、上記潜熱型熱交換器に負極が接続された定電流回路とをさらに備え、上記定電流回路の電圧が所定の大きさ以上であると上記判断部が判断するまで、上記バーナの燃焼終了後に中和用の電流を流し続けることを特徴とする潜熱型熱交換器用ドレン処理装置。
【手続補正２】
【補正対象書類名】明細書
【補正対象項目名】０００５
【補正方法】変更
【補正の内容】
【０００５】
【課題を解決するための手段】
この発明は、上記の問題を解決するためになされたもので、この発明の第１の態様は、第１の問題を解決するために、潜熱型熱交換器において発生した結露水がドレンとして導入される容器と、この容器にそれぞれ設けられた一対の電極と、この一対の電極に接続された直流電源とを備え、上記直流電源の正極に接続された電極を形成するドレン中の酸とを反応させてドレンを中和させる潜熱型熱交換器用ドレン処理装置において、上記直流電源として正極と負極とを変換可能な電源を用い、中和用の電流の通電停止後、上記直流電源の極性を変換して上記一対の電極間に中和用の電流と逆向きの電流を流すことを特徴としている。
【手続補正３】
【補正対象書類名】明細書
【補正対象項目名】０００６
【補正方法】変更
【補正の内容】
【０００６】
この発明の第２の態様は、第２の問題を解決するために、潜熱型熱交換器において発生した結露水がドレンとして導入される容器と、この容器にそれぞれ設けられた一対の電極と、この一対の電極に接続された直流電源とを備え、上記直流電源の正極に接続された電極を形成する金属とドレン中の酸とを反応させてドレンを中和させる潜熱型熱交換器用ドレン処理装置において、上記ドレンを中和させるのに必要な通電量を上記潜熱型熱交換器を加熱するためのバーナの燃焼量に基づいて演算し、この演算された量の電流を上記一対の電極間に流すことを特徴としている。
【手続補正４】
【補正対象書類名】明細書
【補正対象項目名】０００７
【補正方法】変更
【補正の内容】
【０００７】
この発明の第３の態様は、第３の問題を解決するために、潜熱型熱交換器において発生した結露水がドレンとして導入される容器と、この容器にそれぞれ設けられた一対の電極と、この一対の電極に接続された直流電源とを備え、上記直流電源の正極に接続された電極を形成する金属とドレン中の酸とを反応させてドレンを中和させる潜熱型熱交換器用ドレン処理装置において、上記バーナの燃焼終了後に上記中和電流を流すべきか否かを判断する判断部を有し、この判断部が上記バーナの燃焼終了後の中和用の電流を上記バーナの燃焼終了時の燃焼量に基づいて演算し、その演算された後処理時間だけ中和用の電流を流し続けることを特徴としている。
この発明の第４の態様は、第３の問題を解決するために、潜熱型熱交換器において発生した結露水がドレンとして導入される容器と、この容器にそれぞれ設けられた一対の電極と、この一対の電極に接続された直流電源とを備え、上記直流電源の正極に接続された電極を形成する金属とドレン中の酸とを反応させてドレンを中和させる潜熱型熱交換器用ドレン処理装置において、上記バーナの燃焼終了後に上記中和電流を流すべきか否かを判断する判断部と、潜熱型熱交換器に発生するドレンを介して潜熱型熱交換器に電気的に接続されるように、上記潜熱型熱交換器に近接して配置され、ドレン中の酸に溶解する金属からなる防食用電極と、この防食用電極に正極が接続され、上記潜熱型熱交換器に負極が接続された定電圧回路とをさらに備え、上記定電圧回路に流れる電流が所定の大きさ以下であると上記判断部が判断するまで、上記バーナの燃焼終了後に中和用の電流を流し続けることを特徴としている。
この発明の第５の態様は、第３の問題点を解決するために  潜熱型熱交換器において発生した結露水がドレンとして導入される容器と、この容器にそれぞれ設けられた一対の電極と、この一対の電極に接続された直流電源とを備え、上記直流電源の正極に接続された電極を形成する金属とドレン中の酸とを反応させてドレンを中和させる潜熱型熱交換器用ドレン処理装置において、上記バーナの燃焼終了後に上記中和電流を流すべきか否かを判断する判断部と、潜熱型熱交換器に発生するドレンを介して潜熱型熱交換器に電気的に接続されるように、上記潜熱型熱交換器に近接して配置され、ドレン中の酸に溶解する金属からなる防食用電極と、この防食用電極に正極が接続され、上記潜熱型熱交換器に負極が接続された定電流回路とをさらに備え、上記定電流回路の電圧が所定の大きさ以上であると上記判断部が判断するまで、上記バーナの燃焼終了後に中和用の電流を流し続けることを特徴としている。
【手続補正５】
【補正対象書類名】明細書
【補正対象項目名】０００８
【補正方法】変更
【補正の内容】
【０００８】
この発明の第１の態様と、第２の態様と、第３、第４及び第５の態様とは、互いに組み合わせてもよい。
【手続補正６】
【補正対象書類名】明細書
【補正対象項目名】００３８
【補正方法】変更
【補正の内容】
【００３８】
【発明の効果】
以上説明したように、第１の態様に係る発明によれば、ドレンの中和処理後に電極が無駄に消耗するのを防止することができるという効果が得られる。
第２の態様に係る発明によれば、一対の電極間に対する通電量を中和処理すべきドレンの酸性度に応じて過不足なく調節することができ、これによって電極の早期消耗を防止することができるとともに、処理後のドレンの酸性度をほぼ一定に維持することができるという効果が得られる。
第３、第４、第５の態様に係る発明によれば、バーナの燃焼停止後の中和電流の通電を過不足なく行うことができ、これによってドレンが中和処理されないまま外部に排出されるのを防止することができるとともに、電極の早期消耗を防止することができ、さらに後処理時間を過不足なく定めることができるという効果が得られる。